(57)【特許請求の範囲】
【請求項１】
機能の制限が可能な複数の機能を有する照明器具であって、
光源ユニットと、
前記光源ユニットの点灯を制御する点灯回路と、
前記点灯回路を制御することによって前記複数の機能の動作を制御する制御回路と、
前記複数の機能の有効化または無効化を指示する第１の信号を受信する受信部と、
前記受信部により受信された前記第１の信号に従って前記複数の機能のそれぞれが有効であるか無効であるかを示す第１の情報を記憶する記憶部と、
特定期間を決定する決定部とを備え、
前記制御回路は、
前記特定期間以外において、前記記憶部に記憶された前記第１の情報により有効と示される機能を有効にし、無効と示される機能を無効にし、
前記特定期間において、前記記憶部に記憶された前記第１の情報が示す有効および無効に関わらず前記複数の機能のそれぞれを有効にする
照明器具。
【請求項２】
前記受信部は、前記複数の機能を一時的に有効にしておく有効期限を指示する第２の信号を受信し、
前記記憶部は、前記有効期限を指示する第２の信号に従って、前記有効期限を示す第２の情報を記憶し、
前記決定部は、前記受信部による前記第２の信号の受信時を前記特定期間の開始と決定し、前記記憶部に記憶された前記第２の情報に指示される前記有効期限までを計時し、計時の終了時を前記特定期間の終了と決定する
請求項１に記載の照明器具。
【請求項３】
前記照明器具は、さらに、前記受信部により受信された前記第２の信号に従って前記有効期限までの計時が開始したとき、前記光源ユニットによる照明態様を一時的に変更することにより前記第２の信号が正常に処理されたことを報知する報知部を備える
請求項２に記載の照明器具。
【請求項４】
前記受信部は、前記特定期間の開始を指示する開始信号、および前記特定期間の終了を指示する終了信号を受信し、
前記決定部は、前記受信部における前記開始信号の受信時を、前記特定期間の開始と決定し、前記受信部における前記終了信号の受信時を、前記特定期間の終了と決定する
請求項１に記載の照明器具。
【請求項５】
前記照明器具は、さらに、前記受信部により受信された所定の信号を他の照明器具に送信する送信部を備え、
前記所定の信号は、（ｉ）前記複数の機能を一時的に有効にしておく有効期限を指示する第２の信号ならびに（ｉｉ）前記開始信号および前記終了信号の２つのうちの一方である
請求項４に記載の照明器具。
【請求項６】
前記受信部は、新たに受信した所定の信号が直近に受信した所定の信号と同内容であるとき、前記新たな信号を破棄する
請求項５記載の照明器具。
【請求項７】
機能の制限が可能な複数の機能を有する照明器具を制御するコントローラであって、
前記複数の機能に関するユーザ操作を受け付けるユーザインターフェース部と、
前記ユーザ操作に基づいて前記複数の機能の有効化または無効化を指示する第１の信号を前記照明器具に送信する送信部とを備え、
前記送信部は、さらに前記ユーザ操作に基づいて（ｉ）第２の信号ならびに（ｉｉ）開始信号および終了信号の２つのうちの少なくとも一方を送信し、
前記第２の信号は、前記複数の機能を一時的に有効にしておく有効期限を指示し、
前記開始信号は、前記複数の機能を一時的に有効にする特定期間の開始を指示し、
前記終了信号は、前記特定期間の終了を指示する
コントローラ。
【請求項８】
前記コントローラは、さらに
前記特定期間の開始から終了までを計時する計時部を備え、
前記送信部は、前記特定期間の開始時に前記開始信号を送信し、前記計時部による前記特定期間の終了時に前記終了信号を送信する
請求項７に記載のコントローラ。
【請求項９】
請求項１に記載の照明器具と、
請求項７に記載のコントローラとを備える
照明システム。
【発明の詳細な説明】
【技術分野】
【０００１】
本発明は、調光機能および調色機能を含む複数の機能を有する照明器具、そのコントローラおよび照明システムに関する。
【背景技術】
【０００２】
近年、照明器具は、高機能化が進み、調光機能、調色機能等の種々の機能を備えている。
【０００３】
特許文献１は、複数の機能毎の設定項目を有する照明器具において、機能毎の現在の設定項目を確認可能な照明器具を提案している。
【先行技術文献】
【特許文献】
【０００４】
【特許文献１】特開２０１２−２５０６９７号公報
【発明の概要】
【発明が解決しようとする課題】
【０００５】
ところで、照明器具は、設置される場所および環境に応じて適した照明態様が異なり、設置時に使用目的にあわせて照明設備を選択することが多い。例えば、書店、飲食店、スポーツジム、オフィス、住宅、工場では、照明器具として必要とされる照明態様が異なる。
【０００６】
また、店舗などは使用環境が頻繁に変化し、照明設備を変更することも多い。一方、レンタルで提供された照明器具は、機能によってレンタル料金が異なるため、入居者も照明器具の選定が難しく、メーカーも多種多様な照明設備を準備する必要がある。今回、高機能な照明で機能の一部を制限、解除できる機能を有することにより、ユーザが実際にデモを試すことで機能選定をしやすくし、かつメーカーのレンタル業務の簡素化を実現する。また、レンタルの契約内容や期間にあわせて、自動的に機能を制限したり解除でき、不正な機能使用を制限できる照明システムを提供する。
【課題を解決するための手段】
【０００７】
上記課題を解決する照明器具は、複数の機能を有する照明器具であって、光源ユニットと、前記光源ユニットの点灯を制御する点灯回路と、前記点灯回路を制御することによって前記複数の機能の動作を制御する制御回路と、前記複数の機能の有効化または無効化を指示する第１の信号を受信する受信部と、前記受信部により受信された前記第１の信号に従って前記複数の機能のそれぞれが有効であるか無効であるかを示す第１の情報を記憶する記憶部と、特定期間を決定する決定部とを備え、前記制御回路は、前記特定期間以外において、前記記憶部に記憶された前記第１の情報により有効と示される機能を有効にし、無効と示される機能を無効にし、前記特定期間において、前記記憶部に記憶された前記第１の情報が示す有効および無効に関わらず前記複数の機能のそれぞれを有効にする。
【０００８】
また、上記課題を解決するコントローラは、複数の機能を有する照明器具を制御するコントローラであって、前記複数の機能に関するユーザ操作を受け付けるユーザインターフェース部と、前記ユーザ操作に基づいて前記複数の機能の有効化または無効化を指示する第１の信号を前記照明器具に送信する信号送信部とを備え、前記信号送信部は、さらに前記ユーザ操作に基づいて（ｉ）第２の信号ならびに（ｉｉ）開始信号および終了信号の２つのうちの少なくとも一方を送信し、前記第２の信号は、前記複数の機能を一時的に有効にしておく有効期限を指示し、前記開始信号は、前記複数の機能を一時的に有効にする特定期間の開始を指示し、前記終了信号は、前記特定期間の終了を指示する。
【０００９】
また、上記課題を解決する照明システムは、上記の照明器具と上記のコントローラとを備える。
【発明の効果】
【００１０】
本発明の一態様における照明器具、そのコントローラおよび照明システムによれば、高機能の照明装置における機能制限をした状態と制限を解除した状態を手動もしくはタイマで容易に実現することができる。
【図面の簡単な説明】
【００１１】
【図１】図１は、実施の形態１における照明システムの構成例を示すブロック図である。
【図２】図２は、実施の形態１における照明器具の一例を示す外観図である。
【図３Ａ】図３Ａは、実施の形態１における第１の情報の一例を示す図である。
【図３Ｂ】図３Ｂは、実施の形態１における第２の情報の一例を示す図である。
【図３Ｃ】図３Ｃは、実施の形態１におけるデモ情報の一例を示す図である。
【図４】図４は、実施の形態１におけるコントローラの構成例を示すブロック図である。
【図５Ａ】図５Ａは、実施の形態１におけるコントローラの表示画面の一例を示す図である。
【図５Ｂ】図５Ｂは、実施の形態１におけるコントローラの表示画面の他の例を示す図である。
【図６】図６は、実施の形態１における第１および第２の信号等を受信したときの照明器具の処理例を示すフローチャートである。
【図７】図７は、実施の形態１におけるカウンタによる特定期間の計時を示す処理例を示すフローチャートである。
【図８】図８は、実施の形態１における複数の機能に対する機能操作を受け付けた照明器具の処理例を示すフローチャートである。
【図９】図９は、実施の形態２における照明器具の構成例を示すブロック図である。
【図１０】図１０は、実施の形態２におけるコントローラの構成例を示すブロック図である。
【図１１】図１１は、実施の形態２におけるコントローラの処理例を示すフローチャートある。
【図１２】図１２は、実施の形態３における照明器具の構成例を示すブロック図である。
【図１３】図１３は、実施の形態３における照明器具の中継処理例を示すフローチャートである。
【図１４】図１４は、実施の形態３における照明器具の構成例を示すブロック図である。
【発明を実施するための形態】
【００１２】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１３】
（実施の形態１）
［照明システムの構成］
実施の形態１における照明システムは、高機能の照明機器を機能制限しない状態でユーザが試すことを容易に可能にする。
【００１４】
まず、実施の形態１における照明システムについて説明する。図１は、実施の形態１に係る照明システムの構成例を示すブロック図である。
【００１５】
同図の照明システムは、複数の照明器具１００とコントローラ２００とを備える。照明器具１００は、例えば、図２に示すような外観を有する。
【００１６】
複数の照明器具１００のそれぞれは、光源ユニット１１０、点灯回路１１１、制御回路１１２、受信部１１３Ｒ、記憶部１１４、電源回路１１５、決定部１１６、センサ１１７、タイマ１１８、スピーカ１１９を備える。
【００１７】
光源ユニット１１０は、１以上の発光素子を備える。１以上の発光素子は、例えば、複数のＬＥＤ素子である。なお、１以上の発光素子は、ＬＥＤ素子に限定されない。光源ユニット１１０は、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を有してもよい。
【００１８】
点灯回路１１１は、光源ユニット１１０の点灯、点滅、消灯等に対応する電圧または電流を光源ユニット１１０に供給する。この電圧または電流は、光源ユニット１１０が複数のＬＥＤ素子である場合、例えば、調光比、調色比等の照明態様に応じて異なる。
【００１９】
制御回路１１２は、複数の照明態様に対応して点灯回路１１１を制御する。また、制御回路１１２は、照明器具１００の複数の機能のそれぞれを実現する制御を行う。複数の機能は、例えば、明るさを調節する調光機能、色温度を調節する調色機能、時間をかけて明るさを調節するフェード機能、指定時刻に何れかの機能を実行するスケジュール機能、等々がある。複数の機能のそれぞれは、有効か無効かを設定可能である。さらに、制御回路１１２は、複数の機能を一時的に制限しない状態にする。一時的に機能を制限しない状態にすること、つまり一時的に複数の機能のそれぞれを有効にすることをデモ機能と呼ぶ。デモ機能は、ユーザにデモンストレーションとして複数の機能を試してもらう機能である。ここでいう、一時的とは、３日間、１週間等任意に設定される。この一時的な期間を特定期間と呼ぶ。
【００２０】
受信部１１３Ｒは、複数の機能に関する有効化または無効化を指示する第１の信号を受信する。さらに、受信部１１３Ｒは、複数の機能を一時的に有効にしておく有効期限を指示する第２の信号を受信する。
【００２１】
記憶部１１４は、受信部１１３Ｒにより受信された第１の信号に従って複数の機能のそれぞれが有効であるか無効であるかを示す第１の情報を記憶する。また、記憶部１１４は、有効期限を指示する第２の信号に従って、有効期限を示す第２の情報を記憶する。さらに、記憶部１１４は、特定期間において１にセットされ、特定期間以外ではリセットされるデモ情報を記憶する。このデモ情報は、デモ機能が有効であるか無効であるかを示す。
【００２２】
電源回路１１５は、照明器具１００内の各部に電源を供給する。
【００２３】
決定部１１６は、受信部１１３Ｒにより受信された第２の信号に従って特定期間を決定する。より具体的には、決定部１１６は、受信部１１３Ｒによる第２の信号の受信時を特定期間の開始と決定する。さらに、決定部１１６は、記憶部１１４に記憶された第２の情報に指示される有効期限までをカウンタ１１６ａで計時し、この計時の終了時を特定期間の終了と決定する。制御回路１１２は、決定部１１６の決定に従う。つまり、制御回路１１２は、特定期間以外において、記憶部１１４に記憶された第１の情報により有効と示される機能を有効にし、無効と示される機能を無効にする。さらに、制御回路１１２は、特定期間において、記憶部１１４に記憶された第１の情報が示す有効および無効に関わらず複数の機能のそれぞれを有効にする。
【００２４】
センサ１１７は、いわゆる人感センサであり、照明器具１００近傍の人の存在を検知する。照明器具１００近傍とは、例えば照明器具１００のほぼ真下、または真下からせいぜい数ｍの範囲でよい。このセンサ１１７は、制御回路１１２の制御の下で、照明器具１００のセンサ機能に用いられる。
【００２５】
タイマ１１８は、リアルタイムクロック（つまり時計）を有し、任意の時間を計時する。このタイマ１１８は、制御回路１１２の制御の下で、照明器具１００のスケジュール機能等に用いられる。
【００２６】
スピーカ１１９は、ブザー音、音声等を出力する。このスピーカ１１９は、制御回路１１２の制御の下で、スピーカ機能に用いられる。
【００２７】
次に、記憶部１１４に記憶される第１および第２の情報とデモ情報の具体例について説明する。
【００２８】
図３Ａは、実施の形態１における第１の情報の一例を示す図である。同図の第１の情報は、複数の機能のそれぞれに対応するフラグである。セットされているフラグ（つまり１のフラグ）は対応する機能が有効であることを示す。リセットされているフラグ（つまり０のフラグ）は対応する機能が無効であることを示す。また、図３Ａでは複数の機能として、点灯消灯機能、調色機能、調光機能、タイマ機能、遠隔操作機能、通知機能、スピーカ機能が例示されている。
【００２９】
点灯消灯機能は、例えばコントローラ２００からの点灯および消灯を可能にする機能である。
【００３０】
調色機能および調光機能については既に説明したとおりである。
【００３１】
タイマ機能は、指定された時間経過後にある機能を実行する機能である。
【００３２】
遠隔操作機能は、コントローラ２００またはリモコンからの遠隔操作を受け付ける機能である。
【００３３】
通知機能は、照明器具１００の状態情報をコントローラ２００に通知する機能である。状態情報は、例えば、第１および第２の情報、デモ情報、現在の照明態様を示す情報、起動時からの照明時間、消費電力等である。
【００３４】
スピーカ機能は、スピーカ１１９から各種音声を出力させる機能である。
【００３５】
図３Ｂは、実施の形態１における第２の情報の一例を示す図である。同図の第２の情報は、受信部１１３Ｒに受信された第２の信号に指示された有効期限である。同図の有効期限は、何年何月何日何時を表しているが、何分何秒まで表していてもよい。
【００３６】
図３Ｃは、実施の形態１におけるデモ情報の一例を示す図である。同図のデモ情報は、デモ機能に対応するフラグである。セットされているフラグ（つまり１のフラグ）はデモ機能が有効であることを示す。リセットされているフラグ（つまり０のフラグ）はデモ機能が無効であることを示す。このフラグは、制御回路１１２によって特定期間の開始時にセットされ、特定期間の終了時にリセットされる。
【００３７】
［コントローラの構成］
次に、コントローラ２００の構成について説明する。
【００３８】
図４は、実施の形態１におけるコントローラ２００の構成例を示すブロック図である。同図のコントローラ２００は、ＵＩ部（ユーザ・インタフェース部）２１０、ＣＰＵ２１３、メモリ２１４、通信部２１５を備える。このコントローラ２００のハードウェア構成は、いわゆるスマートフォンまたはタブレット端末と同様の構成でよい。
【００３９】
ＵＩ部２１０は、表示パネル２１１とタッチパネル２１２とを備える。表示パネル２１１は、操作メニュー等を表示する。タッチパネル２１２は、ユーザ操作を受け付ける。
【００４０】
ＣＰＵ２１３は、メモリ２１４に記憶されたプログラムを実行することによって、ユーザ操作に応じた第１の信号および第２の信号の送信の内容を作成する。
【００４１】
メモリ２１４は、上記プログラム等を記憶する。
【００４２】
通信部２１５は、第１の信号および第２の信号を照明器具１００に送信する。
【００４３】
［コントローラ２００の表示画面例］
ここで、コントローラ２００の表示パネル２１１の表示画面例について説明する。
【００４４】
図５Ａは、実施の形態１におけるコントローラの表示画面の一例を示す図である。この表示画面は、照明器具１００と異なる他の照明器具の品番を選択するための選択メニューの例である。照明器具１００は高機能であるため、他の照明器具の置き換えに利用可能である。例えば、店舗に配置されている他の複数の照明器具の１つが故障した場合、照明器具１００に置き換える。または、店舗に配置されている他の複数の照明器具の全部を照明器具１００に置き換える。
【００４５】
置き換え後に、コントローラ２００は、置き換え前の照明器具が有する機能と同等の機能を、照明器具１００において有効にすれば、ユーザは、置き換え前と同じ照明態様を利用することができる。故障した照明器具と置き換える場合は、同タイプの照明器具の在庫がない場合でも、照明器具１００により代替することになる。
【００４６】
さらに、店舗に配置されている他の複数の照明器具の全部を照明器具１００に置き換えた場合、ユーザがデモ機能を利用することで、店舗に適した新たな照明態様を発見することができる。
【００４７】
図５Ａの選択メニューでは、他の照明器具を照明器具１００に置き換えた場合に、代替可能な他の照明器具の一覧が表示される。設置者は、例えば、品番ＣＣＣＣを選択すれば、品番ＣＣＣＣの照明器具に対応する機能選択メニューが表示される。
【００４８】
図５Ｂは、実施の形態１におけるコントローラ２００の表示画面の他の例を示す図である。具体的には、図５Ｂの表示画面例は、照明器具１００の個々の機能選択メニューと、デモ機能の設定項目とを示している。
【００４９】
まず、機能選択メニューについて説明する。図５Ｂは、図５Ａの選択メニューにおいて品番○○○○が選択されたときに表示される表示画面の例を示す。この表示画面例は、照明器具１００の複数の機能のそれぞれについて有効にするか無効にするかを選択する機能選択メニューでもある。図５Ａにおいて品番○○○○が選択された場合、図５Ｂの機能選択メニューが表示される。図５Ｂの機能選択メニューは、表示された時点で、照明器具１００が品番○○○○の照明器具と同等の機能を果たすように、各機能の有効または無効が選択されている。
【００５０】
コントローラ２００が、この機能選択メニューの設定内容を第１の信号として照明器具１００に送信すれば、当該照明器具１００は品番○○○○の照明器具と同等の機能を果たす。つまり照明器具１００は品番○○○○の照明器具を代替する。これにより、ユーザは、照明器具１００をあたかも品番○○○○の照明器具であるかのように利用することができる。
【００５１】
また、店舗の照明器具の全部を照明器具１００に置き換えた場合、図５Ｂの機能選択メニューにおいて、ユーザまたは設置者が所望する機能をオンに選択し、送信を指示すれば、ユーザが所望する機能を利用することができ、照明器具１００がレンタル利用される場合は、機能制限によりレンタル料を節約することができる。
【００５２】
次に、デモ機能の設定項目について説明する。
【００５３】
図５Ｂの表示画面例の最下行には、デモ機能の有効期限を設定するための設定項目が表示されている。この設定項目に有効期限を書き込み、さらに送信を指示すれば、コントローラ２００は、有効期限を指示する第２の信号を照明器具１００に送信する。これによりデモ機能を開始することができる。
【００５４】
これにより、制限されている機能をユーザが知らない場合、および、機能の一部が制限されていることをユーザが知らない場合は、環境の変化等に適した新たな照明態様を知ることができ、ユーザニーズを発掘することができる。
【００５５】
［動作］
以上のように構成された実施の形態１に係る照明システムについて、その動作を説明する。図６は、実施の形態１における第１および第２の信号等を受信したときの照明器具の処理例を示すフローチャートである。
【００５６】
同図のように、照明器具１００において、受信部１１３Ｒが複数の機能に関する有効化または無効化を指示する第１の信号を受信したとき（Ｓ６１でｙｅｓ）、制御回路１１２は、第１の信号に従って前複数の機能のそれぞれが有効であるか無効であるかを示す第１の情報を記憶部１１４に記憶させる（Ｓ６２）。
【００５７】
また、照明器具１００において、受信部１１３Ｒが、複数の機能を一時的に有効にしておく有効期限を指示する第２の信号を受信したとき（Ｓ６３でｙｅｓ）、制御回路１１２は、有効期限を示す第２の情報を記憶部１１４に記憶させ、記憶部１１４に記憶されたデモ情報をセットする、つまりデモ情報のフラグを０から１に書き換える（Ｓ６４）。さらに、制御回路１１２は、有効期限までカウントするようにカウンタ１１６ａを起動する（Ｓ６５）。これにより特定期間が開始、つまりデモ機能が有効になる。
【００５８】
さらに、照明器具１００において、受信部１１３Ｒが他の信号を受信したとき（Ｓ６６でｙｅｓ）、制御回路１１２は、他の信号に対応する処理を実行する（Ｓ６７）。他の信号は、例えば、複数の機能の何れかに関する指示を含む信号である。
【００５９】
また、図７は、実施の形態１におけるカウンタによる特定期間の計時を示す処理例を示すフローチャートである。同図のように、制御回路１１２は、カウンタ１１６ａのカウントが終了したか否かを判定し、カウントが終了したとき（Ｓ７１でｙｅｓ）、記憶部１１４に記憶されたデモ情報をリセットする、つまりデモ情報のフラグを１から０に書き換える（Ｓ７２）。これにより、特定期間が終了、つまりデモ機能が無効になる。
【００６０】
次に、複数の機能に対する機能操作を受けた場合の処理例について説明する。
【００６１】
図８は、実施の形態１における複数の機能に対する機能操作を受け付けた照明器具１００の処理例を示すフローチャートである。同図のように、コントローラ２００またはリモコンから、受信部１１３Ｒは特定の機能に対する指示である機能操作を受信する（Ｓ８１）。このとき制御回路１１２は、記憶部１１４に記憶されたデモ情報が有効であるか否かを判定する。デモ情報が有効であると判定されたとき（Ｓ８２でｙｅｓ）、制御回路１１２は、当該機能操作に従って処理する、つまり機能操作を実現する（Ｓ８３）。デモ情報が有効な場合、第１の情報が示す有効および無効に関わらず機能操作は実現される。
【００６２】
一方、デモ情報が有効であると判定されたとき（Ｓ８２でｙｅｓ）、制御回路１１２は、さらに、第１の情報において機能操作に対応する機能が有効か否かを判定する。機能操作に対応する機能が有効であると判定されたとき（Ｓ８４でｙｅｓ）、ステップＳ８３に進む、つまり当該機能操作に従って処理する。機能操作に対応する機能が有効でないと判定されたとき（Ｓ８４でｎｏ）、当該機能が無効であることを警告する信号をコントローラ２００に送信する（Ｓ８５）。
【００６３】
以上のように、本実施形態に係る照明器具１００によれば、高機能の照明装置における機能制限をしない状態をユーザが容易に一時的に試すことができる。
【００６４】
（実施の形態２）
次に、実施の形態２における照明システムについて説明する。
【００６５】
［構成］
本実施の形態における照明システムの概要は図１とほぼ同様であるが、特定期間の計時を照明器具１００ではなくコントローラ２００で行う点が異なっている。そのため、照明器具１００およびコントローラ２００の構成が一部異なっている。以下、異なる点を中心に説明する。
【００６６】
図９は、実施の形態２における照明器具１００の構成例を示すブロック図である。同図の照明器具１００は、図１と比べて、決定部１１６内のカウンタ１１６ａが削除されている点と、上記の第２の信号の代わりに特定期間の開始を示す開始信号および終了を示す終了信号が送信される点と、決定部１１６がカウンタ１１６ａを利用しないで特定期間を決定する点とが異なっている。
【００６７】
受信部１１３Ｒは、特定期間の開始を指示する開始信号、および特定期間の終了を指示する終了信号を受信する。
【００６８】
決定部１１６は、受信部１１３Ｒにおける開始信号の受信時を、特定期間の開始と決定し、受信部１１３Ｒにおける終了信号の受信時を、特定期間の終了と決定する。
【００６９】
これにより、照明器具１００内にカウンタ１１６ａを備えなくてもよい。記憶部１１４は、第２の情報として有効期限を記憶しなくてもよい。
【００７０】
図１０は、実施の形態２におけるコントローラ２００の構成例を示すブロック図である。同図は、図４と比べて、カウンタ２１６が追加されている点が異なっている。
【００７１】
カウンタ２１６は、ＣＰＵ２１３の制御の下で、開始信号の送信開始時点から、特定期間の有効期限までを計時する。この計時終了時にＣＰＵ２１３は、終了信号を通信部２１５から照明器具１００に送信させる。
【００７２】
［動作］
以上のように構成された本実施の形態における照明システムについて、その動作を説明する。
【００７３】
図１１は、実施の形態２におけるコントローラ２００の処理例を示すフローチャートある。同図において、コントローラ２００のＵＩ部２１０において、有効期限を指定するデモ機能の操作を受け付ける。（Ｓ１１１）。ＣＰＵ２１３は、通信部２１５に開始信号を送信させる（Ｓ１１２）。この開始信号の宛先アドレスはブロードキャストアドレスでよい。このとき、ＣＰＵ２１３は、カウンタ２１６を起動し、有効期限までをカウントさせる（Ｓ１１３）。その後、カウンタ２１６のカウントが終了した時（Ｓ１１４でｙｅｓ）、ＣＰＵ２１３は、通信部２１５に終了信号を送信させる。
【００７４】
照明器具１００の制御回路１１２は、開始信号の受信時にデモ情報のフラグをセットし、終了信号の受信時にデモ情報のフラグをリセットする。
【００７５】
これによれば、実施の形態１と同じ効果を得ることができる。さらに、本実施の形態１のコントローラ２００はデモ機能の有効期限を指示する第２の信号送信後に他の照明システムに移動しても利用可能である。これに対して、実施の形態２の照明器具１００は、照明システムに固定的に使用されている場合に適している。
【００７６】
（実施の形態３）
次に、実施の形態３における照明システムについて説明する。
【００７７】
本実施の形態における照明システムの概要は、図１と比べて、照明器具１００に送信部１１３Ｔが追加されている点が主に異なっている。以下、異なる点を中心に説明する。
【００７８】
送信部１１３Ｔは、受信部１１３Ｒにより受信された所定の信号を他の照明器具１００に送信する、つまり中継する。ここで、所定の信号は、（ｉ）実施の形態１における第２の信号ならびに（ｉｉ）実施の形態２における開始信号および終了信号の２つのうちの少なくとも一方である。本実施の形態３では所定の信号は（ｉ）でよい。
【００７９】
図１３は、実施の形態３における照明器具の中継処理例を示すフローチャートである。同図において、受信部１１３Ｒは、新たに受信した所定の信号が前回に受信した所定の信号と同内容であるとき（Ｓ１３１でｙｅｓ）、新たな信号を破棄する（Ｓ１３２）。また、新たに受信した所定の信号が前回に受信した所定の信号と同内容でないとき（Ｓ１３１でｎｏ）、送信部１１３Ｔは、当該所定の信号を他の照明器具１００に中継する。この中継における宛先アドレスは、ブロードキャストアドレスでよい。
【００８０】
以上の構成によれば、コントローラ２００から離れた場所に照明器具１００が存在する場合、および、コントローラ２００から直接受信でない照明器具１００が存在する場合、デモ機能を確実に設定することができる。
【００８１】
（実施の形態４）
次に、実施の形態４における照明システムについて説明する。
【００８２】
本実施の形態における照明システムの概要は、図２と比べて、照明器具１００に送信部１１３Ｔが追加されている点が主に異なっている。以下、異なる点を中心に説明する。
【００８３】
送信部１１３Ｔは、受信部１１３Ｒにより受信された所定の信号を他の照明器具１００に送信する、つまり中継する。ここで、所定の信号は、（ｉ）実施の形態１における第２の信号ならびに（ｉｉ）実施の形態２における開始信号および終了信号の２つのうちの少なくとも一方である。本実施の形態４では所定の信号は（ｉｉ）でよい。
【００８４】
また、図１３のフローチャートも、本実施の形態におけるコントローラ２００は実行する。
【００８５】
以上の構成によれば、コントローラ２００から離れた場所に照明器具１００が存在する場合、および、コントローラ２００から直接受信でない照明器具１００が存在する場合、デモ機能を確実に設定することができる。
【００８６】
なお、上記実施の形態および各変形例において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８７】
また、上記各実施の形態１において、特定の処理部が実行する処理を別の処理部が実行してもよい。
【００８８】
なお、本発明の包括的または具体的な態様は、システム、方法、集積回路、コンピュータプログラムまたはコンピュータ読み取り可能なＣＤ−ＲＯＭなどの記録媒体で実現されてもよい。また、本発明の包括的または具体的な態様は、システム、方法、集積回路、コンピュータプログラムまたは記録媒体の任意な組み合わせで実現されてもよい。例えば、本発明は、照明装置の制御方法や、ビジネスモデル（レンタル方法および課金方法）として実現されてもよい。
【００８９】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【００９０】
１００  照明器具
１１０  光源ユニット
１１１  点灯回路
１１２  制御回路
１１３Ｒ  受信部
１１４  記憶部
１１６  決定部
２００  コントローラ
２１０  ＵＩ部
２１５  通信部
【図１】
0006489521.tif 000002
【図２】
0006489521.tif 000003
【図３Ａ】
0006489521.tif 000004
【図３Ｂ】
0006489521.tif 000005
【図３Ｃ】
0006489521.tif 000006
【図４】
0006489521.tif 000007
【図５Ａ】
0006489521.tif 000008
【図５Ｂ】
0006489521.tif 000009
【図６】
0006489521.tif 000010
【図７】
0006489521.tif 000011
【図８】
0006489521.tif 000012
【図９】
0006489521.tif 000013
【図１０】
0006489521.tif 000014
【図１１】
0006489521.tif 000015
【図１２】
0006489521.tif 000016
【図１３】
0006489521.tif 000017
【図１４】
0006489521.tif 000018